(57)【特許請求の範囲】
【請求項１】
ハウジングと、スライド板と、付勢手段とを備えた名札ホルダ構造であって、
前記ハウジングの内部には一方が開口した収容空間が形成されており、
前記収容空間の両側縁にはそれぞれスライド部が設けられるとともに、これらスライド部の一方側に配置されている前記収容空間の内面には固定部が設けられており、
前記スライド板は前記ハウジングの収容空間内に収容されるとともに、当該スライド板の一方端側には、前記収容空間の開口側に形成された切欠きの位置に前記スライド板を位置決め可能であって前記スライド板の移動の距離および範囲を規制するストッパ部がそれぞれ両側縁に突設され、これら二つの対応するストッパ部の間には係止部が設けられており、
前記付勢手段は両端にそれぞれ係合部が設けられるとともに、二つの係合部の間には弾性変形部が設けられており、
一方側の前記係合部が前記ハウジングの固定部に係合され、他方側の前記係合部が前記スライド板の係止部に係合することにより、
前記付勢手段は、前記スライド板が前記収容空間の一方側の内壁面から他方側の開口位置にまでスライド移動したのに合わせて、前記弾性変形部の挟み角が鈍角から鋭角に、更に鋭角から鈍角になる移動が可能となることで、前記ハウジングにスライド可能に保持されている前記スライド板は相対的に往復スライド位置が位置決めされる状態となることを特徴とする名札ホルダ構造。
【請求項２】
前記ハウジングにおける収容空間の開口から離れた反対側には貫通した開口が開設されており、該開口内には各種携帯物品上に取り付けるためのストラップを挿通して設けることを特徴とする請求項１に記載の名札ホルダ構造。
【請求項３】
前記ハウジングは底板と上カバーとが一体成型または個別に製造されており、
前記スライド部は、前記底板および前記上カバーにそれぞれ設けられた対応する溝およびスライドレールに配置されていることを特徴とする請求項１に記載の名札ホルダ構造。
【請求項４】
前記底板および前記上カバーの表面における結合位置には複数の結合部が設けられ、
前記結合部は前記底板の表面に凹部および係止溝がそれぞれ開設されるとともに、これら凹部および係止溝に対応する前記上カバーの表面には位置決め突起および係止爪がそれぞれ設けられていることを特徴とする請求項３に記載の名札ホルダ構造。
【請求項５】
前記底板および前記上カバーの表面における結合位置には複数の結合部が設けられ、
前記結合部は、前記底板の表面に位置決め突起および係止爪がそれぞれ設けられるとともに、これら位置決め突起および係止爪に対応する前記上カバーの表面には凹部および係止溝がそれぞれ開設されていることを特徴とする請求項３に記載の名札ホルダ構造。
【請求項６】
前記スライド板のストッパ部から離れた反対側には円弧状突起の把持部が設けられていることを特徴とする請求項１に記載の名札ホルダ構造。
【請求項７】
前記スライド板の表面上にはラベルを更に貼付固定することができ、前記ラベルは粘着効果を備えた接着体で前記スライド板の表面に接着することを特徴とする請求項１に記載の名札ホルダ構造。
【請求項８】
前記付勢手段は、前記弾性変形部から一端側の前記係合部に向けて支持部が連続しており、他端側の前記係合部に向けてリンク部が連続しているトーションスプリングの形式とされることを特徴とする請求項１に記載の名札ホルダ構造。
【発明の詳細な説明】
【技術分野】
【０００１】
本発明は名札ホルダ構造を提供するものであり、特に、ハウジング内部にスライド板が設けられるとともに、スライド板が付勢手段の移動に対応可能であり、そしてケース体内部にて往復移動して位置決めされ、しかもスライド板の表面にはラベルが貼付けられることで、ラベルを繰り返して交換できる目的を持つラベルを繰り返し交換して使用可能な名札ホルダに関する。
【背景技術】
【０００２】
国民所得が増加するにつれ、人々の生活形態も徐々に変化してきており、より多くの人々が、出張、レジャーまたは旅行などのために海外渡航するようになり、人々の生活も多彩になってきている。同時に訪問地現地の各種異なる風習人情を体験し、より多くの外国の文化および知識を吸収することが可能となってきていることから、休暇の間に数多くの人々が海外渡航するようになってきている。
【０００３】
海外渡航にて最も重要なことについて言えば、携行しているスーツケースや旅行カバンなどに、書類、物品、用品または衣服などを収納し、しかもスーツケースまたは旅行カバンなどは渡航に当っては航空会社に手荷物を預けて、目的地に到着した後に、スーツケースまたは旅行カバンを受け取るのがほとんどである。ところが、スーツケースまたは旅行カバンのいずれもメーカが大量生産し、販売しているものであり、市場でも同一モデルのスーツケースが販売されていることが常であるので、他人が同じスーツケースまたは旅行カバンを使用しているケースがよく見受けられ、もし注意を怠れば他人の荷物を間違って取ってしまう事態もありうる。
【０００４】
同一モデルのスーツケースまたは旅行カバンとで混同や、誤認の事態が発生しないように、スーツケースまたは旅行カバンに使用者が関連する情報を記入する名札を付けることで、他人の荷物を間違って取ってしまう問題および不具合を防止して、荷物取り扱いにおける不便を改善することができる。
【０００５】
しかしながら、スーツケースまたは旅行カバンに取付けられる名札では、通常硬質の板上に名札を貼付けており、名札上には識別用として例えば氏名、住所、電話番号、携帯電話番号、電子メールアドレスなどの使用者の情報を書き込んでいる。しかし、名札は一回のみ記入用であり、使用者の情報について変換または変更はできない。しかも、使用時には名札はスーツケースまたは旅行カバンの外側に取り付けられており、もし水に濡れてしまうと文字がかすんでしまい、情報の内容を識別できなくなって、荷物が他人と同一モデルであるときに混同、誤認を引き起こしてしまう。その上、情報を書き込んだ後は、訂正または変更ができないので、書き間違いや、別の使用者が情報を変更したいときには、名札を塗りつぶさなければならず、名札の汚損が甚だしくなり使用できなくなってしまう。
【０００６】
上記の名札に生じる問題を解決するために、本願の出願人は、留め具に関連する製品の長年の業務経験に基づき、２００５年１２月２３日に、「名札ホルダの構造」、出願番号第９４２２２５１７号（特許文献１）、そして２００６年７月１日の特許公報に公告され、公告番号第Ｍ２９３５０５号（特許文献２）である実用新案を出願している。
【０００７】
従来技術の立体分解図、他の角度からの立体分解図である図７、図８を同時に参照されたい。図中から明確に理解できるように、主にハウジングＡ内部には収容空間Ａ１が設けられており、収容空間Ａ１の一方端側にはストッパＡ１２を有する切欠きＡ１１が設けられ、そして両側縁には収容空間Ａ１でスライド体Ｂがスライド可能に嵌合させられるスライド溝Ａ２がそれぞれ設けられており、スライド体Ｂの表面には付勢手段Ｃを収容する規制溝Ｂ１が設けられている。この規制溝Ｂ１の一方側は、ハウジングＡのストッパＡ１２を付勢手段Ｃの一方側に嵌着し固定するためのものであるとともに、スライド体Ｂの両側の突起Ｂ２がハウジングＡのスライド溝Ａ２内にそれぞれ嵌設されることで、スライド体ＢとハウジングＡとが相対的に引き出し方向に移動したとき付勢手段Ｃを押えて、付勢手段Ｃの弾性回復力によりスライド体Ｂを復位させる。スライド体ＢはハウジングＡの外部に引き出されて、表面に関連情報を記入することができるようになる。そして付勢手段Ｃによりスライド体Ｂを収容空間Ａ１内に押し動かして、名札Ｄを繰り返し交換してスライド体Ｂの表面に貼付けることができる。
【０００８】
【特許文献１】中華民国特許出願第９４２２２５１７号明細書
【特許文献２】中華民国実用新案公告第Ｍ２９３５０５号公報
【発明の開示】
【発明が解決しようとする課題】
【０００９】
しかしながら、前記した名札ホルダでは使用時において、ハウジングＡとスライド体Ｂとの間に嵌入され当接されている付勢手段Ｃは巻き数がかなり多く、しかも圧縮、収容した後に一定の長さが生じて縮小が難しい。更に、スライド体Ｂ表面に設けられている規制溝Ｂ１もまた付勢手段Ｃの外径、サイズに合わせて設計しなければならず、相対的にスライド体Ｂの厚みが増し、しかも多くの空間を占めてしまう。
その結果、材料、製造上のコストが嵩み、ひいては名札ホルダの全体構造において一定程度の厚みが出てしまい、製品の薄型化の設計ニーズに符合できなくなってしまう。
【００１０】
したがって、上記した従来の名札を使用するときに生じる問題および不具合を如何に改善するかということは、当業者が研究して改善すべき方向であり、当業者によりより一層の改良が待たれ、新たな設計の必要があるものである。
よって、発明者は上記問題および欠点に鑑み、関連する資料を集め、多面的な評価および思索を経て、しかも当業者が積み重ねた長年の経験をもって、絶えず試作および修正を重ねて、このような名札ホルダの構造の発明がなされたわけである。
【課題を解決するための手段】
【００１１】
本発明の名札ホルダ構造は、ハウジングと、スライド板と、付勢手段とを備えた名札ホルダ構造であって、
前記ハウジングの内部には一方が開口した収容空間が形成されており、
前記収容空間の両側縁にはそれぞれスライド部が設けられるとともに、これらスライド部の一方側に配置されている前記収容空間の内面には固定部が設けられており、
前記スライド板は前記ハウジングの収容空間内に収容されるとともに、当該スライド板の一方端側には、前記各スライド部上に当接して位置決め可能であるストッパ部がそれぞれ両側縁に突設され、これら二つの対応するストッパ部の間には係止部が設けられており、
前記付勢手段は両端にそれぞれ係合部が設けられるとともに、二つの係合部の間には弾性変形部が設けられており、
一方側の前記係合部が前記ハウジングの固定部に係合され、他方側の前記係合部が前記スライド板の係止部に係合することにより、
前記付勢手段は、前記スライド板が前記収容空間の一方側の内壁面から他方側の開口位置にまでスライド移動したのに合わせて、前記弾性変形部の挟み角が鈍角から鋭角に、更に鋭角から鈍角になる移動が可能となることで、前記ハウジングにスライド可能に保持されている前記スライド板は相対的に往復スライド位置が位置決めされる状態となることを特徴とする。
【００１２】
上記構成の名札ホルダ構造によれば、付勢手段を移動させた後の弾性回復力により、スライド板は収容空間内から引き出されるように突出するとともに、相対的に往復スライド位置が位置決めされる状態となることで、スライド板表面にラベルを貼付けて繰り返し交換して使用することができるようになり、一定の空間を占めることなく、材料、製造上のコストを削減し、ひいては全体構造の設計上で必要な厚みを効果的に減らすことができる。
【００１３】
尚、上記構成の名札ホルダ構造において、前記ハウジングにおける収容空間の開口から離れた反対側には貫通した開口が開設されており、該開口内には各種携帯物品上に取り付けるためのストラップを挿通して設けることが望ましい。
このような構成によれば、布製ベルト又はベルトなどの各種ストラップを介して名札ホルダを各種携帯物品上に取り付けることで、識別、および他人の物品と混同、誤認する不具合を防止することができる。
【００１４】
更に、上記構成の名札ホルダ構造において、前記ハウジングは底板と上カバーとが一体成型または個別に製造されており、
前記スライド部は、前記底板および前記上カバーにそれぞれ設けられた対応する溝およびスライドレールに配置されていることが望ましい。
このような構成によれば、収容空間の内面とスライド板の表面との間に、付勢手段を配置する為の空間を容易に形成することができ、付勢手段がスライド板の表面や収容空間の内面を直に擦ったり、異音が発生したりする不具合を効果的に防止できる。
【００１５】
また、上記構成の名札ホルダ構造において、前記底板および前記上カバーの表面における結合位置には複数の結合部が設けられ、前記結合部は前記底板の表面に凹部および係止溝がそれぞれ開設されるとともに、これら凹部および係止溝に対応する前記上カバーの表面には位置決め突起および係止爪がそれぞれ設けられていることが望ましい。また、前記結合部は、前記底板の表面に位置決め突起および係止爪がそれぞれ設けられるとともに、これら位置決め突起および係止爪に対応する前記上カバーの表面には凹部および係止溝がそれぞれ開設されていることが望ましい。
このような構成によれば、底板と上カバーとを堅固に結合固定することができる。
【００１６】
また、上記構成の名札ホルダ構造において、前記スライド板のストッパ部から離れた反対側には円弧状突起の把持部が設けられていることが望ましい。
更に、上記構成の名札ホルダ構造において、前記スライド板の表面上にはラベルを更に貼付固定することができ、前記ラベルは粘着効果を備えた接着体で前記スライド板の表面に接着することが望ましい。
更に、上記構成の名札ホルダ構造において、前記付勢手段は、前記弾性変形部から一端側の前記係合部に向けて支持部が連続しており、他端側の前記係合部に向けてリンク部が連続しているトーションスプリングの形式とされることが望ましい。
【発明の効果】
【００１７】
このように、付勢手段を移動させた後の弾性回復力により、スライド板は収容空間内から引き出されるように突出するとともに、相対的に往復スライド位置が位置決めされる状態となることで、スライド板表面にラベルを貼付けて繰り返し交換して使用することができるようになり、一定の空間を占めることなく、材料、製造上のコストを削減し、ひいては全体構造の設計上で必要な厚みを効果的に減らすことができる。
【発明を実施するための最良の形態】
【００１８】
上記目的および構造を達成するために、本発明で採用する技術的手段およびその効果は、ここに図面あげて、本発明の好ましい実施形態について工程および機能を以下のとおり詳しい説明を行うことで、完全なる理解を図るものである。
【００１９】
それぞれ本発明の立体外観図、立体分解図および使用前における平面概略図である図１、図２、図３を参照されたい。
図中から明確に理解できるように、本発明の名札ホルダ構造は、ハウジング１と、スライド板２と、付勢手段３とを備えている。前記ハウジング１は、底板１１と上カバー１２とが個別に製造されてなり、その内部には収容空間１３が形成されている。収容空間１３の一方の開口内には、円弧状の切欠き１３１が形成されるとともに、収容空間１３内部の両側縁には、それぞれスライド部１４が設けられている。
【００２０】
そして、このスライド部１４は、底板１１と上カバー１２とにおいてそれぞれ設けられている対応する溝１４１およびスライドレール１４２に配置されている。スライド部１４の一方側である上カバー１２の底部表面（収容空間の内面）には、固定突起（固定部）１５が突設されるとともに、固定突起１５の高さが概ねスライドレール１４２の厚さよりも低くなるように設けられている。
【００２１】
また、ハウジング１の外周である底板１１および上カバー１２の表面における結合位置には、複数の結合部１６が設けられ、しかも各結合部１６は底板１１の表面に凹部１６１および係止溝１６３がそれぞれ開設されるとともに、凹部１６１および係止溝１６３に対応して上カバー１２の一方側の表面には位置決め突起１６２と係止爪１６４とがそれぞれ設けられている。そして、上カバー１２の位置決め突起１６２および係止爪１６４が底板１１の対応する凹部１６１および係止溝１６３上にそれぞれ係合される。更にはハウジング１における切欠き１３１から離れた反対側には貫通した開口１７が開設されている。
【００２２】
前記スライド板２は一方端側に、二つの対応するストッパ部２１がそれぞれ両側縁に突設されており、しかもこれら二つのストッパ部２１の間の中央位置に嵌入穴（係止部）２２が凹設されている。ストッパ部２１から離れた反対側には、円弧状突起の把持部２３が設けられている。
【００２３】
前記付勢手段３は、両端に係合リング（係合部）３１がそれぞれ設けられるとともに、二つの係合リング３１の間には変形部（弾性変形部）３２が巻回して形成されている。この付勢手段３は、変形部３２から一端側の係合リング３１に向けて支持部３２１が連続しており、他端側の係合リング３１に向けてリンク部３２２が連続しているトーションスプリングの形式とされているが、コイルスプリングまたは板ばねにより構成することもできる。付勢手段３は、移動した後、弾性回復力により素早く他方側の対応する位置に位置決めされた状態となり、一定の空間を占めることなく上記した構成部材に結合されることで、本発明の主な態様が完成する。
【００２４】
上記した構成部材は組立に際して、まずスライド板２をハウジング１の収容空間１３内に収容するとともに、スライド板２における二つの対応するストッパ部２１が、収容空間１３の両側縁のスライド部１４上に当接し位置決めされて、スライド部１４における対応する溝１４１およびスライドレール１４２により、ストッパ部２１をその上でスライド移動させることができるとともに、二つのストッパ部２１の中央位置の嵌入穴２２に、付勢手段３の一方側の係合リング３１を挿通固定するとともに、付勢手段３の他方側の係合リング３１を上カバー１２の底部に突設されている固定突起１５上に嵌着することで、スライド可能に嵌着された状態とする。即ち、付勢手段３は、スライドレール１４２の厚さによって上カバー１２の底部とスライド板２の表面との間に形成された空間に配置されている。
【００２５】
また、固定突起１５の高さが概ねスライドレール１４２の厚さよりも低くなるように設けられているため、スライドレール１４２上のスライド板２と上カバー１２の固定突起１５とが適正な間隔を持つことになり、固定突起１５がスライド板２の表面を直に擦ったり、異音が発生したりする不具合を効果的に防止できる。
【００２６】
しかもスライド板２の反対側の把持部２３が、収容空間１３の一方側の切欠き１３１に対応した状態で、さらにハウジング１の周囲に設けられた複数の結合部１６により、底板１１はその凹部１６１および係止溝１６３により、それぞれ上カバー１２上に配置されている位置決め突起１６２および係止爪１６４に対応して係止、保持されて、底板１１と上カバー１２とが堅固に結合固定される。
さらに、開口１７には布製ベルト、ベルトまたは各種ストラップ等のストラップ５を挿通して設けて、スーツケース、旅行カバン、リュックサック、鞄、ポーチ、服飾品などの各種携帯物品上に名札ホルダを取り付けることで、識別して、そして他人の物品と混同、誤認する事態を防止し、本発明の全体的な組付けが完成する。
【００２７】
本発明の使用前における平面概略図、使用時における平面概略図(１)、平面概略図(２)および使用後における平面概略図である図３、図４、図５、図６を参照されたい。
図中から明確に理解できるように、上記した構成部材は使用に際して、スライド板２の把持部２３を引き出すと、スライド板２の二つの対応するストッパ部２１が収容空間１３の両側縁のスライド部１４上に当接して位置決めされるとともに、スライド部１４の対応する溝１４１およびスライドレール１４２の上でストッパ部２１をスライド移動させる。
【００２８】
そして、上カバー１２とスライド板２にそれぞれ設けられている固定突起１５および嵌入穴２２が付勢手段３と係合し、付勢手段３の両端の各係合リング３１が固定突起１５および嵌入穴２２を中心として相対回転しながら方向転換し、しかも変形部３２に力が作用して相対的に内側に捻り変形する扇型状態で移動し、スライド板２に適正な弾性抵抗力をもたらすことで、力が作用したときにスライド板２が簡単にスライドしてしまうという事態を防止する。
【００２９】
まず、スライド板２をハウジング１の収容空間１３内に収容すると、図３に示すように、スライド可能に保持されたスライド板２の両側の対向する側縁におけるストッパ部２１は、付勢手段３によりそれぞれ収容空間１３の一方側の内壁面１３ａに当接する。このとき、付勢手段３は両側の支持部３２１とリンク部３２２との挟み角が鈍角とされる。スライド板２に力が作用して収容空間１３の中段位置にまでスライドすると、前記付勢手段３の変形部３２にも力が作用して、相対的に内側に捻り変形する扇型状態で移動するとともに、最大の圧縮変形量となり、支持部３２１とリンク部３２２との間の挟み角が鋭角状態となる（図４及び図５参照）。
【００３０】
また、スライド板２が収容空間１３の他方側の開口にまで引き出されると、図６に示すように、変形部３２の弾性回復力により、スライド板２を収容空間１３の他方側の切欠き１３１の位置に当接させて位置決めし、そして付勢手段３の支持部３２１とリンク部３２２との挟み角が鋭角になるとともに、スライド板２に安定的に力が作用するので、位置ずれ、回転する不具合は発生しない。
【００３１】
従って、スライド板２を収容空間１３内でスライド移動させたとき、付勢手段３が移動した後の弾性回復力により、スライド板２を素早く収容空間１３の他方側の切欠き１３１の位置に位置決めすることができ、スライド板２はハウジング１の収容空間１３内から引き出されるように突出する。また、付勢手段３はスライド板２が収容空間１３の一方側の内壁面１３ａから切欠き１３１の位置にまでスライド移動したのに合わせて、その変形部３２の挟み角が鈍角から鋭角に、更に鋭角から鈍角になる移動が可能となることで、ハウジング１にスライド可能に保持されているスライド板２は相対的に往復スライド位置が位置決めされる状態となり、構造が簡単で、取り扱いしやすく、手際よくできる効果をもたらす。
【００３２】
また、前記したハウジング１は互いに結合固定される２つの底板１１および上カバー１２により、それぞれスライド板２の外面を覆うとともに、その収容空間１３の両側縁のスライド部１４により、スライド板２のストッパ部２１と合わせて移動の距離および範囲を規制することで、スライド板２が間違って引き出されてハウジング１の外に抜け出るのを防止している。
【００３３】
また一方では、スライド板２の表面上にはラベル４を更に貼付固定することができ、そしてラベル４上には、氏名、住所、電話番号などの使用者の情報を予め記入することができる。ラベル４は接着剤または粘着テープ、樹脂などの粘着効果を備えた接着体でスライド板２の表面に接着することができる。
【００３４】
スライド板２をハウジング１の収容空間１３内部に収容すると、スライド板２上に貼付けられたラベル４をハウジング１により保護し、ラベル４が外在要因により汚損または破損するのを防止できる。また、使用者がハウジング１を介して、その内部のスライド板２表面のラベル４に記載された情報を視認でき、いつでも使用者の情報を識別できる効果を達成できるように、ハウジング１が透明、半透明、一部透明または各種透明の材質で製作されてもよい。
ラベル４を交換する場合には、スライド板２表面のラベル４を剥がした後、新たなラベル４をその上に接着することで、使用者のニーズに応じて柔軟に変更または交換ができるようになる。
【００３５】
さらに、上記したスライド板２は、底板１１と上カバー１２との間に平坦に密着し、スライド板２の両側縁のストッパ部２１がそれぞれ結合部１６との間に形成されている小さな空間でスライド移動しやすくされているので、互いの摩擦により生じる異音を低減することができる。
【００３６】
従来の名札ホルダ構造においては、付勢手段の巻き数がかなり多く、しかも圧縮、収容した後に一定の長さが生じて縮小が難しく、しかもスライド体もまた付勢手段の外径、サイズに合わせて設計しなければならず、全体的な構造の厚さが増してしまうという問題および不具合があった。
【００３７】
これに比べて、本発明の名札ホルダ構造では、付勢手段３の両端の係合リング３１が、上カバー１２およびスライド板２にそれぞれ設けられている固定突起１５および嵌入穴２２を中心として相対回転しながら方向転換するとともに、変形部３２に力が作用して相対的に内側に捻り変形する扇型状態で移動し、そして移動後でも圧縮、収容により長さを縮小し難いという不具合はなく、しかも一定の空間を占めるということもないので、材料、製造上のコストを削減し、ハウジング１の全体構造の設計上で必要な厚みを効果的に減らして、製品の薄型化の設計ニーズに応えることができる。
【００３８】
また、上記したハウジング１の結合部１６は、底板１１の表面にそれぞれ設けられている位置決め突起１６２および係止爪１６４とすることができるうえ、位置決め突起１６２および係止爪１６４に対応して上カバー１２の一方側の表面に凹部１６１および係止溝１６３をそれぞれ設けて、底板１１により位置決め突起１６２および係止爪１６４を、上カバー１２における対応する凹部１６１および係止溝１６３に係止しても良い。また、底板１１および上カバー１２は一体成型の方式で結合固定してもよく、つまり底板１１および上カバー１２は係合、挟持固定、ねじ固定、嵌め込み、接着接合の方式、またはその他の組立方式で結合することができ、底板１１は結合部１６のみで上カバー１２に互いに係合し、保持固定するだけでよい。ただし、前記効果を達成できる形式はいずれも本発明に含まれるものであり、この種の簡易な付加および等価の構造的変化は、いずれも本発明の範囲内に含まれるべきであることを合わせて明言しておく。
【００３９】
したがって、本発明の名札ホルダ構造は、従来技術を改善する主要な内容は以下のとおりである。
(１)スライド板２が収容空間１３内でスライド移動したとき、付勢手段３が移動した後の弾性回復力により、スライド板２はハウジング１の収容空間１３内から引き出されるように突出するとともに、相対的に往復スライド位置が位置決めされる状態となることで、構造が簡単で、取り扱いしやすく、手際よくできる効果をもたらす。
【００４０】
(２)ハウジング１はスライド板２の外面を覆うとともに、収容空間１３の両側縁のスライド部１４により、スライド板２のストッパ部２１と合わせて移動の距離および範囲を規制することで、スライド板２が間違って引き出されてハウジング１の外に抜け出るのを防止する。
【００４１】
(３)固定突起１５の高さが概ねスライドレール１４２の厚さよりも低くなるように設けられているので、スライドレール１４２上のスライド板２と上カバー１２の固定突起１５とが適正な間隔を持つことになり、しかもスライド移動しやすくなり、固定突起１５がスライド板２の表面を直に擦ったり、異音が発生したりする不具合を効果的に防止できる。
【００４２】
(４)付勢手段３の両端の係合リング３１が固定突起１５および嵌入穴２２を中心として相対回転しながら方向転換し、しかも変形部３２に力が作用して相対的に内側に捻り変形する扇型状態で移動し、スライド板２に適正な弾性抵抗力をもたらすことで、力が作用したときにスライド板２が簡単にスライドしてしまうという事態を防止する。
【００４３】
(５)付勢手段３はハウジング１およびスライド板２に対する付勢方向を方向転換するとともに、相対的に内側に捻り変形する扇型状態で移動し、そして移動後でも圧縮、収容により長さを縮小し難いという不具合はなく、しかも一定の空間を占めるということもなく、材料、製造上のコストを削減し、ハウジング1の全体構造の設計上で必要な厚みを効果的に減らして、製品の薄型化の設計ニーズに応えることができる。
【００４４】
(６)開口１７には布製ベルト、ベルトまたは各種ストラップ等のストラップ５を挿通して設けて、ストラップ５を介して名札ホルダをスーツケース、旅行カバン、リュックサック、鞄、ポーチ、服飾品などの各種携帯物品上に取り付けることで、識別、および他人の物品と混同、誤認する不具合を防止する。
【００４５】
(７)スライド板２の表面上にはラベル４を更に貼付固定することができ、そしてラベル４上には使用者の情報を予め記入することができ、スライド板２上に貼付けられたラベル４をハウジング１により保護し、ラベル４が外在要因により汚損または破損するのを防止する。
【００４６】
(８)ラベル４を交換する場合には、スライド板２表面のラベル４を剥がした後、新たなラベル４をその上に接着することで、使用者のニーズに応じて柔軟に変更または交換ができるようになる。
【００４７】
よって、上記詳細な説明は、本発明の好ましい実行可能な実施例に対しての説明に過ぎず、当該実施例は本発明の範囲を限定するためのものではなく、本発明にて開示する技術的思想から離れることなく行われるその他均等の変化および付加変更は、いずれも本発明の範囲に含まれるべきである。
【００４８】
上記をまとめるに、本発明の上記の名札ホルダ構造は、その効果および目的を確実に達成することができる。よって本発明は確かに実用性に優れた発明であり、特許の出願要件を間違いなく満たすものであるので、ここに法に基づき特許を出願するものである。審査官殿には本願に一日も早く登録査定が下されることにより、発明者の苦労による発明が保証されることを願うものである。もし貴局におかれては、何らかの疑問がある場合には、発明者は協力を惜しむものではないので、極力書簡にて指示していただきますよう切望する次第である。
【図面の簡単な説明】
【００４９】
【図１】本発明の立体外観図である。
【図２】本発明の立体分解図である。
【図３】本発明の使用前における平面概略図である。
【図４】本発明の使用時における平面概略図(１)である。
【図５】本発明の使用時における平面概略図(２)である。
【図６】本発明の使用後における平面概略図である。
【図７】従来技術の立体分解図。
【図８】従来技術の他の角度からの立体分解図である。
【符号の説明】
【００５０】
１、ハウジング              ２、スライド板
３、付勢手段                ４、ラベル
５、ストラップ
１１、底板                  １２、上カバー
１３、収容空間              １４、スライド部
１５、固定突起（固定部）    １６、結合部
１７、開口
２１、ストッパ部            ２２、嵌入穴（係止部）
２３、把持部
３１、係合リング（係合部）
３２、変形部（弾性変形部）
１３１、切欠き              １４１、溝
１４２、スライドレール      １６１、凹部
１６２、位置決め突起        １６３、係止溝
１６４、係止爪              ３２１、支持部
３２２、リンク部
Ａ、ハウジング
Ａ１、収容空間              Ａ２、スライド溝
Ａ１１、切欠き              Ａ１２、ストッパ
Ｂ、スライド体
Ｂ１、規制溝                Ｂ２、突起
Ｃ、付勢手段
Ｄ、名札
【図１】
0005288940.tif 000002
【図２】
0005288940.tif 000003
【図３】
0005288940.tif 000004
【図４】
0005288940.tif 000005
【図５】
0005288940.tif 000006
【図６】
0005288940.tif 000007
【図７】
0005288940.tif 000008
【図８】
0005288940.tif 000009